(57)【要約】【課題】  長期間浴槽の残り湯を利用して洗濯をしない場合であっても、浴槽と洗濯機とを繋ぐ取水配管内に残水を極力残さないようにし、その上、そのようなものにおいても、見栄えを低下させない風呂蓋フックを提供する。【解決手段】  浴室の壁７１へ固着される壁固定部１と、壁固定部１に設けられ浴室７の壁７１に立て掛けられた風呂蓋７５を係脱自在に係止するフック部２と、ポンプを介して浴室７の壁７１と洗濯機６とを接続した配管９に連通するように設けられ且つ壁固定部１に内蔵される連通部３と、一端が連通部３に着脱自在に接続される取着部４４となり且つ他端が浴槽７４の湯水を取水する取水口４２となる吸込部材４と、を設けた。【選択図】        図１
2010227264.tif 000002
【特許請求の範囲】
【請求項１】
浴室の壁へ固着される壁固定部と、壁固定部に設けられ浴室の壁に立て掛けられた風呂蓋を係脱自在に係止するフック部と、ポンプを介して浴室の壁と洗濯機とを接続した配管に連通するように設けられ且つ壁固定部に内蔵される連通部と、一端が連通部に着脱自在に接続される取着部となり且つ他端が浴槽の湯水を取水する取水口となる吸込部材と、を備えて成ることを特徴とする風呂蓋フック。
【請求項２】
前記連通部は円筒形状に形成され、前記フック部は連通部を回転軸として回動自在に設けられて成る請求項１に記載の風呂蓋フック。
【発明の詳細な説明】
【技術分野】
【０００１】
本発明は、浴室の壁に設けられる風呂蓋フックに関するものである。
【背景技術】
【０００２】
従来から、浴槽の残り湯を有効に利用するために、浴槽の残り湯を洗濯機に移動させて、洗濯に利用するようにしている。
【０００３】
洗濯機にはポンプが内蔵してあり、洗濯機の給水口に接続されたホースの給水口がある側とは反対側の端部にある取水口を浴槽の残り湯内に浸し、ポンプの駆動力により残り湯を洗濯機内に取り込んで、残り湯を洗濯に利用するようにしている。洗濯機は浴室内ではなく、脱衣室等の浴室とは別の部屋や、あるいは室外に設置され、ホースは、使用時に洗濯機と浴槽との間に這設され、一方、不使用時には一箇所にまとめて収納されている。
【０００４】
この従来例にあっては、ホースを取り出して洗濯機と浴槽との間に這設する作業を、洗濯を行なう度に行なう必要があって手間が掛かる上に、ホースは浴室と浴室外とに亘って這設されるため、ホースは浴室出入り口を経由させる必要があり、このホースを使用している時には浴室ドアを閉めることができないという問題があった。
【０００５】
そこで、上記のようなホースを用いずに浴槽の残り湯を取り込むための配管を設けたものが開発されている（例えば、特許文献１参照）。
【先行技術文献】
【特許文献】
【０００６】
【特許文献１】特開２００２−２７５９５７号公報
【発明の概要】
【発明が解決しようとする課題】
【０００７】
これは、浴槽の底面に取水口を形成すると共に、洗濯機が設置される部屋の床に容器を凹設し、この浴槽の取水口と容器とを接続した取水配管を、浴室及び脱衣室の床下に配設したものである。そして、この容器から洗濯機にホースを介して吸い上げるようになっている。これにより、上記のように、洗濯を行なう度にホースを浴槽にまで這設する必要がなくなり、さらに、浴室と脱衣室とに亘ってホースを配設することなく、取水配管を介して浴槽の残り湯を取り込むことが可能となり、上述した問題が解決されるものとなる。
【０００８】
しかしながら、この場合、取水配管は床下に配設されているため、取水配管内に浴槽の残り湯が残ってしまうという問題がある。すなわち、長期間残り湯を利用した洗濯が行なわれず、取水配管内に残り湯が長期間滞留したままの状態では、配管内面に残り湯の汚れ成分が付着したり、また、配管内に雑菌が繁殖してしまったりすることから、取水配管内の残水を排水する必要があるというものであった。
【０００９】
一方、取水配管を床下に配設せず、残水しないようにするため側壁内に配設することも考えられるが、この取水配管を壁内を経由して配設するに当たっては、その取水配管の取水口の端部側を浴室の壁から突出させる必要があり、その場合、浴室内の見栄えを低下させてしまうという問題があった。
【００１０】
本発明は、上記従来の問題に鑑みてなされたものであり、その目的とするところは、長期間浴槽の残り湯を利用して洗濯をしない場合であっても、浴槽と洗濯機とを繋ぐ取水配管内に残水を極力残さないようにし、その上、そのようなものにおいても、見栄えを低下させない風呂蓋フックを提供することにある。
【課題を解決するための手段】
【００１１】
上記課題を解決するために本発明は以下の構成を備えている。
【００１２】
すなわち、請求項１に係る発明にあっては、浴室７の壁７１へ固着される壁固定部１と、壁固定部１に設けられ浴室７の壁７１に立て掛けられた風呂蓋７５を係脱自在に係止するフック部２と、ポンプを介して浴室７の壁７１と洗濯機６とを接続した配管（取水配管９）に連通するように設けられ且つ壁固定部１に内蔵される連通部３と、一端が連通部３に着脱自在に接続される取着部４４となり且つ他端が浴槽７４の湯水を取水する取水口４２となる吸込部材４と、を備えて成ることを特徴とするものである。
【００１３】
このように構成したことで、浴室７と洗濯機６とを繋ぐ配管（取水配管９）を浴室７の壁７１を経由して配設することができるので、床下に配管を埋設したもののように配管内に残水を生じ難くすることができる。その上、洗濯機６と浴室７とを繋ぐ配管（取水配管９）の浴室７の壁７１からの突出部７６を、風呂蓋フック５の壁固定部１で覆い隠すことができて見栄えの低下が防止できる。また、吸込部材４が着脱自在に設けられているので、入浴時に吸込部材４を取り外せば、吸込部材４が邪魔となることなく快適に入浴することができる。
【００１４】
また、請求項２に係る発明にあっては、請求項１に係る発明において、前記連通部３は円筒形状に形成され、前記フック部２は連通部３を回転軸として回動自在に設けることが好ましい。
【００１５】
このように構成したことで、回動自在に設けられたフック部２の回転軸と連通部３とを兼用することができるため、フック部２の回転軸を省いて部品点数を減らすことができる。
【発明の効果】
【００１６】
本発明によれば、浴室内の外観を良好に保ったままで、浴槽の残り湯を洗濯機に利用する配管を浴室と脱衣室の出入り口を経由せずに、浴室壁を経由して固定的に配設することができ、しかも、床下でなく浴室壁を経由して配設することで配管内の残水をなくすことができ、その結果、配管内の汚れや雑菌の繁殖を防ぐことができるものである。
【図面の簡単な説明】
【００１７】
【図１】本発明の一実施形態の吸込部材を取り外した状態の斜視図である。
【図２】同上の浴室ユニット及び脱衣室の全体斜視図である。
【図３】同上の吸込部材を取り外した風呂蓋フックを表しており（ａ）は風呂蓋を固定した状態の斜視図であり（ｂ）は（ａ）の要部拡大図である。
【発明を実施するための形態】
【００１８】
以下、本発明について添付図面に基づいて説明する。
【００１９】
本発明の風呂蓋フック５を取り付ける浴室７の一例として、本実施形態の風呂蓋フック５は浴室７としての浴室ユニット７ａに取り付けられている。
【００２０】
本実施形態の浴室ユニット７ａは、図２に示すように、浴槽７４を載置する浴槽床パンと洗い場床パンとで構成される床パン７２の周囲から、壁パネル７１ａ及び扉が配設された出入口枠が立設され、この壁パネル７１ａ及び出入口枠の上端に天井パネルを載設することで構成されており、この浴槽床パンには浴槽７４が載設されている。さらに、本実施形態の浴室ユニット７ａには隣接して脱衣室Ａが設けられており、この脱衣室Ａには洗濯機６が設置されている。
【００２１】
脱衣室Ａの洗濯機６は、浴槽７４の残り湯を利用して洗濯を行なうことができるようになっており、洗濯機６に内蔵されたポンプを介して浴槽７４の残り湯を洗濯機６内に取り込むことができる。
【００２２】
浴槽７４には開閉自在な風呂蓋７５が載置されており、本実施形態の風呂蓋７５は、浴槽７４の長手方向と同方向の辺を複数に分割してなる複数の小蓋７５１を、浴槽７４の長手方向に並設して構成されている。この風呂蓋７５を収納するに当たっては、複数の小蓋７５１を重ね合わせるようにして纏め、浴室ユニット７ａの壁パネル７１ａに立て掛けるようにしている。
【００２３】
そして、この壁パネル７１ａに立て掛けた風呂蓋７５を倒れないように係止するために、壁パネル７１ａに風呂蓋フック５が取り付けられている。
【００２４】
この風呂蓋フック５は、図１に示すように、浴室ユニット７ａの壁に固着される壁固定部１と、この壁固定部１の前面に回動自在に設けられたフック部２と、壁固定部１の壁当接面１１とフック部２の前端面とを連通するようにして壁固定部１及びフック部２に内蔵される連通部３と、この連通部３に着脱自在に取り付けられた吸込部材４とを備えて構成されている。
【００２５】
壁固定部１は略円柱型をしたもので、その前端には断面略Ｌ字状のフック部２が連結されている。上述した通り、壁固定部１とフック部２とは内部に備えた円筒形状の連通部３を介して接続されており、回動自在に設けられたフック部２の回転軸がこの連通部３となるように構成される。つまり、フック部２は略円筒状の連通部３の外周面を摺動しながら左右に回動できるようになっている。
【００２６】
この壁固定部１とフック部２とを貫通するようにして設けられた連通部３には、吸込部材４が取り付けられるのであるが、この吸込部材４は、可撓性を有する取水ホース４８によって主体が構成されており、この取水ホース４８の一端がこの連通部３に取り付けられる取着部４４となり、他端が浴槽７４の浴湯に浸される取水部４１となっている。
【００２７】
取着部４４は図１に示すように、連通部３に嵌入する嵌入部４５と、連通部３の外縁に当接する当接片４６とを備えており、嵌入部４５の外周には連通部３に嵌入部４５を嵌合した状態で漏水を防ぐ水密材としてのＯリング４７が設けられている。
【００２８】
取水部４１には、その先端に取水口４２が設けられているとともに、浴槽７４の残り湯を吸い込む際のフィルターとなるスポンジ４３が内装されている。
【００２９】
ここで、浴室ユニット７ａの壁パネル７１ａ内部（本実施形態では、建物躯体と壁パネル７１ａとの間）から浴室ユニット７ａに臨んで、脱衣室Ａにある洗濯機６に内蔵されるポンプを介して接続される取水配管９が配設されている。詳しく説明すると、洗濯機６の上部にはエルボ継手から成る取出口８が取水配管９と連通するようにして固設されており、一方、浴室ユニット７ａの壁パネル７１ａには壁７１内（本実施形態では、建物躯体と壁パネル７１ａとの間）を経由した取水配管９を、壁７１内から浴室ユニット７ａ内部に向けて取り出す部位である浴室取出部７６が設けられている。そして、洗濯機６に設けられた接続ホース６１により洗濯機６と取出口８とが接続される。本実施形態の取水配管９は、取出口８に接続される横管９１と、横管９１の取出口８とは反対側の端部に連設されて上下方向に配される縦管９２とで構成されており、この横管９１は取水口４２側（すなわち、洗濯機６側）に向けて徐々に下方に位置するようにやや傾斜を備えて構成されている。縦管９２の下方側の端部は、浴室ユニット７ａの内部に臨むように屈曲してあり、浴室取出部７６を構成する壁パネル７１ａに設けられた貫通孔（図示せず）に挿通された状態で固定的に配管されている。なお、本実施形態においてこの取水配管９は、架橋ポリエチレン管を使用しているが、特に限定されない。
【００３０】
このような壁パネル７１ａに設けられた貫通孔に挿通される配管（縦管９２）と、風呂蓋フック５の壁固定部１に内蔵された連通部３とを水密的に連通するようにして壁固定部１が固設されており、この壁固定部１の壁当接面１１が貫通孔周辺を覆うように固着されている。
【００３１】
以上のように構成された風呂蓋フック５を使用して、浴槽７４の残り湯を洗濯機６に取り込むに当たっては、風呂蓋フック５の連通部３に、吸込部材４の取着部４４にある嵌入部４５を嵌入して吸込部材４を設置する。そして、洗濯機６に内蔵されたポンプを駆動させて洗濯機６内に浴湯を取り込む。その時、取水口４２から取り込んだ湯水がスポンジ４３を介して連通部３、取水配管９、取出口８、接続ホース６１の順に移動し、洗濯機６内に取り込まれる。
【００３２】
一方、洗濯機６への浴湯の取り込みが終了し洗濯機６のポンプが停止すると、本実施形態における配管内の残り湯は、洗濯機６内の吐出口となる配管の大気開放側の端部よりも、吸込部材４の取水口４２（詳しくは、浴槽７４の浴湯の液面）が下方にあるため、サイフォン現象により浴槽７４内に戻ることになる。なお、洗濯機６内の吐出口となる配管の端部が、浴槽７４の浴湯の液面よりも下方に位置する場合には、ポンプを停止してもサイフォン現象により洗濯機６内に残り湯を移送し続けてしまうことになるが、その場合は、吸込部材４を連通部３から取り外せばよい。すなわち、取水配管９の横管９１は洗濯機６に向けてやや傾斜するように設置されているため、取水配管９内の残り湯のみが洗濯機６内に自然に流れ出ることになり、しかも、配管内の僅かな湯水であっても取水配管９内に残水が生じ得ない工夫がなされている。
【００３３】
従って、長期間浴槽７４の残り湯を利用した洗濯を行なわない場合であっても、取水配管９内に残り湯の残水が生じない構造となっているため、取水配管９内に残り湯の汚れ成分が付着したり、取水配管９内に雑菌が繁殖してしまったりすることを防ぐことができ、さらに、これらを防ぐために行なっていた従来の配管内の残水抜き作業を行なう必要がなくなって、使い勝手が向上するものとなる。
【００３４】
ここで、風呂蓋フック５を利用して風呂蓋７５を収納するに当たっては、図３に示すように、フック部２を下方に向けて回動させて、立て掛けた風呂蓋７５を係止するようにする。また、風呂蓋７５を浴槽７４に設置したい場合には、フック部２を略水平状態となるように横に向けて回動させることによって、風呂蓋７５の係止を簡単に解除することができる。このように、本実施形態の風呂蓋フック５は簡単な操作で風呂蓋７５の係脱を行なうことができるものである。
【００３５】
しかも、このようなフック部２の回動構造において、本実施形態では円筒状の連通部３を回転軸としてフック部２を回動するようにしているから、構造を簡略することができるばかりか、通常は回動軸を別に設ける必要があるところ、連通部３を回転軸にしたため部品点数を削減することができ、コストの削減も図られている。
【００３６】
さらに、通常は、浴室７の壁７１から取水配管９を取り出すように構成すると、浴室取出部７６が見えてしまい見栄えが低下してしまうが、本実施形態においては、浴室取出部７６を風呂蓋フック５の固定部によって覆ってあるため、浴室７内の外観の低下を防ぐことができる。
【００３７】
また、吸込部材４が簡単に取り外し可能な構成となっているため、入浴時に吸込部材４を簡単に取り外すことができる。なお、吸込部材４を取り外した際に、連通部３にキャップ３１（図３（ｂ）参照）を嵌め込んで連通部３をキャップ３１で覆うように構成してもよい。
【００３８】
なお、上記構成における吸込部材４の取水ホース４８の長さ設定において、浴槽７４の底部に届く長さに設定することにより、浴槽７４内の略すべての湯水を洗濯機６に取り込むことが可能となるのはもちろんのことであるが、例えば、取水ホース４８に伸縮自在な蛇腹状のホースを利用すれば、使用時は浴槽７４の底部に届く長さに伸長させることができる上に、収納時はコンパクトに収縮させておくことができるものとなる。
【００３９】
以上、本発明の風呂蓋フック５を浴室ユニット７ａに固設したものに基づいて説明したが、浴室ユニット７ａに限定されず浴室７であればすべてにおいて適用可能なものである。また、本実施形態においては、洗濯機６を浴室７に隣接した脱衣室Ａに設けた例について説明したが、この点においても特に限定されない。つまり、洗濯機６を浴室７とは離れた部屋に設けたものにおいても本発明の風呂蓋フック５を使用することができるのはもちろんのことであり、また、洗濯機６を屋外に設けたものにおいても使用することができるのはもちろんのことである。
【符号の説明】
【００４０】
１      壁固定部
１１    壁当接面
２      フック部
３      連通部
４      吸込部材
４１    取水部
４２    取水口
４４    取着部
４５    嵌入部
４６    当接片
４８    取水ホース
５      風呂蓋フック
６      洗濯機
７      浴室
７ａ    浴室ユニット
７１    壁
７１ａ  壁パネル
７４    浴槽
７５    風呂蓋
７６    浴室取出部
８      取出口
９      取水配管
９１    横管
９２    縦管
【図１】
2010227264.tif 000003
【図２】
2010227264.tif 000004
【図３】
2010227264.tif 000005